(57)【要約】      （修正有）【課題】自由に移動可能で特別な電源等を必要とせず、コンテナ内の温度を効果的に下げるのが可能なコンテナ冷却用散水器を提供する。【解決手段】底部に複数のキャスター１１が設けられたウエイト付きの台車１２と、台車１２に立設された柱材１３、１４と、該柱材１３、１４の上部に片持ち状態で取り付けられた水平梁材１５と、該水平梁材１５の先部に水平補助材１６を介して下向きに設けられた散水ノズル１７、１８と、該散水ノズル１７、１８に水を供給するホース１９、２０とを有し、車両に搭載されたコンテナに片側から水平梁材１５が張り出して、コンテナの屋根に散水する。【選択図】図１
0003173310.tif 000002
【実用新案登録請求の範囲】
【請求項１】
底部に複数のキャスターが設けられたウエイト付きの台車と、該台車に立設された柱材と、該柱材の上部に片持ち状態で取り付けられた水平梁材と、該水平梁材の先部に水平補助材を介して下向きに設けられた散水ノズルと、該散水ノズルに水を供給するホースとを有し、車両に搭載されたコンテナに片側から前記水平梁材が張り出して、前記コンテナの屋根に散水可能なコンテナ冷却用散水器。
【請求項２】
請求項１記載のコンテナ冷却用散水器において、前記水平補助材は、前記水平梁材の先側に、該水平梁材に直交して設けられ、該水平補助材の両端に取付け部材を介して前記散水ノズルがそれぞれ設けられ、しかも、前記散水ノズルは供給水圧による自動回転式となっていることを特徴とするコンテナ冷却用散水器。
【請求項３】
請求項１又は２記載のコンテナ冷却用散水器において、前記ホースは前記水平梁材及び前記柱材に沿って配管され、しかも、前記柱材に沿って配管されるホースには、水の供給源用のホースに接続及び切り離し可能なカプラーが設けられていることを特徴とするコンテナ冷却用散水器。
【請求項４】
請求項１〜３のいずれか１項に記載のコンテナ冷却用散水器において、前記キャスターはブレーキ付きキャスターであることを特徴とするコンテナ冷却用散水器。
【請求項５】
請求項１〜４のいずれか１項に記載のコンテナ冷却用散水器において、上部に水の注入口が下部にドレーンコックがある水タンクを、前記台車の上に設けたことを特徴とするコンテナ冷却用散水器。
【考案の詳細な説明】
【技術分野】
【０００１】
本考案は、例えば、夏場におけるコンテナ内作業時の作業員の熱中症予防対策として、コンテナに水をかけ、内部の温度を下げることができるコンテナ冷却用散水器に関する。
【背景技術】
【０００２】
一般に、倉庫作業におけるコンテナ荷役作業では、コンテナを積載したトレーラがターミナルに到着した場合、トレーラの後方をプラットフォームにバックで縦付けする等し、コンテナ後部を開き、作業員が内部に入り荷役作業を開始する。夏はコンテナが直射日光の下を走行してきており、またターミナル内でもコンテナに直射日光が当たったままの場合が少なくなく、コンテナ内は相当な高温となっており、作業者はその中で作業を行うことになる。
【０００３】
通常、海上コンテナはその開放口が後端の一箇所しかなく、通風性は良くない。特に４０フィートコンテナは奥行きが長く風が殆ど出入りしないため、開放口を開け放したとしても、内部の温度は高温のままとなってなかなか温度が下がらない。そのためコンテナ作業は熱中症の危険を伴い、長時間の作業が不可能であり、夏場は作業効率の低下をきたしていた。
【０００４】
熱中症を予防する装置としては、作業員に向かって冷風を吹き付けるスポットクーラーや移動式エアコンなどの冷房装置が多くの作業場で使われている。しかしこれらの装置は狭隘なコンテナ内では作業の邪魔となるので使用できない。また冷風と同時に熱風も吹き出すため、通風状態の良くないコンテナ内で使う場合は、熱風のみを外部に放出するダクトなどを準備する必要があり、尚且つ電源も必要であり、冷房効果は高いが使い方が煩雑である。
【０００５】
簡易な冷却方法として作業員がコンテナに入る前に近くの水道の蛇口からホースを引き、コンテナに水をかけ、内部の温度を下げる方法がある。
この方法は、冷却効果はスポットクーラーなどの強制冷却手段と比べると限定的であるが、水道が近くにあれば比較的手軽に実施でき、少なくとも人が中で作業をするのが困難でなくなるほどまで温度を下げるので、熱中症を予防するには十分な効果があり、比較的広く行われている。
また、特許文献１には、グラウンドや公園等で任意の場所に移動させ、散水することができる装置が開示されている。
【先行技術文献】
【特許文献】
【０００６】
【特許文献１】特開２００３−１８１３４６号公報
【考案の概要】
【考案が解決しようとする課題】
【０００７】
しかしながら、コンテナに水を直接かけて冷やす方法では、例えばコンテナ側面には水をかけやすいが、側面にかけた水は直ちに流れてしまい冷却効果が少なく、また反対側にかけることができない。上面は直射日光に最も晒されているので一番温度が高くなっていると考えられ、また水が流れ落ちにくい。従って上面にかけるのが最も効果が高いのは明確であるが、トレーラに積載されたままのコンテナは上面まで４ｍ程度の高さがあるので人間がホース等で直接上にかけることができず、希望する範囲へ水をかけることは難しい。また、更に直射日光が強い日などは、作業中屋根の広範囲に水をかけ続ける必要があるが、その場合作業員が一人とられてしまうという問題があった。
【０００８】
また近年、コンテナに使用するものではないが、散水により温度を下げる装置は多数ある。これらは殆どがタンクやポンプを備え、電源を要するものである。手動スイッチだけでなくセンサー信号によりスイッチが入るものもある（たとえば製品名「屋根クール」（温度を感知し、自動的に建物の屋根に散水する装置）や、セーフティ産業（株）製の散水システムなど）。これらの装置は一般的に設置工事が必要になり、またメンテナンスも必要になるが、夏場以外は殆ど使われることが無いため、これらにかかる費用の割には使用時期が短く不経済である。
【０００９】
特許文献１記載の技術は、移動体（台車）の上にスプリンクラーを取り付けたものであり、水道の蛇口を市販のホースリール等を通して装置に繋いでスプリンクラーから散水するもので、タンクやポンプは無く、設置工事等も不要で手軽に使用でき故障も無いが、トレーラに積載されたコンテナの屋根上に散水することはできないため、コンテナ荷役作業員の熱中症予防には使用できない。
【００１０】
本考案はかかる事情に鑑みてなされたもので、自由に移動可能で特別な電源等を必要とせず、コンテナ内の温度を効果的に下げるのが可能なコンテナ冷却用散水器を提供することを目的とする。
【課題を解決するための手段】
【００１１】
前記目的に沿う本考案に係るコンテナ冷却用散水器は、底部に複数のキャスターが設けられたウエイト付きの台車と、該台車に立設された柱材と、該柱材の上部に片持ち状態で取り付けられた水平梁材と、該水平梁材の先部に水平補助材を介して下向きに設けられた散水ノズルと、該散水ノズルに水を供給するホースとを有し、車両に搭載されたコンテナに片側から前記水平梁材が張り出して、前記コンテナの屋根に散水可能となっている。なお、散水ノズルの高さは地面から４．５〜５ｍの高さとするのが好ましいが、コンテナの高さによって多少変化するので、本考案はこの高さに限定されるものではない。
【００１２】
また、本考案に係るコンテナ冷却用散水器において、前記水平補助材は、前記水平梁材の先側に、該水平梁材に直交して設けられ、該水平補助材の両端に取付け部材を介して前記散水ノズルがそれぞれ設けられるのが好ましい。前記散水ノズルは、供給水圧による自動回転式又は多数のノズル孔を有する固定式であってもよい。
【００１３】
本考案に係るコンテナ冷却用散水器において、前記柱材は２本あって、２本の前記柱材で前記水平梁材の後端部と中間部とを支持しているのが好ましい。
【００１４】
本考案に係るコンテナ冷却用散水器において、前記ホースは前記水平梁材及び前記柱材に沿って配管され、しかも、前記柱材に沿って配管されるホースには、水の供給源用のホースに接続及び切り離し可能なカプラーが設けられているのが好ましい。
【００１５】
本考案に係るコンテナ冷却用散水器において、前記キャスターはブレーキ付きキャスターであるのが好ましい。
そして、本考案に係るコンテナ冷却用散水器において、上部に水の注入口が下部にドレーンコックがある水タンクを、前記台車の上に設けてもよい。
【考案の効果】
【００１６】
本考案のコンテナ冷却用散水器は、底部に複数のキャスターが設けられたウエイト付きの台車と、台車に立設された柱材と、柱材の上部に片持ち状態で取り付けられた水平梁材と、水平梁材の先部に水平補助材を介して下向きに設けられた散水ノズルと、散水ノズルに水を供給するホースとを有し、車両に搭載されたコンテナに片側から水平梁材が張り出して、コンテナの屋根に散水可能となっているので、自由に移動させて、コンテナの近くにこのコンテナ冷却用散水器を設置することができる。
【００１７】
そして、構造も比較的簡単であり、電力等も必要とせず稼働できるので、散水ノズルによってコンテナの表面に水を散布することでコンテナ内の温度を下げ、作業者が熱中症等になる危険性を小さくすることができる。
なお、散水ノズルは平面視してコンテナの天井の幅方向中間部に位置するように台車をセットする。
【００１８】
また、本考案にかかるコンテナ冷却用散水器において、水平補助材が、水平梁材の先側に、直交して設けられ、水平補助材の両端に散水ノズルがそれぞれ設けられ、しかも、散水ノズルは供給水圧による自動回転式となっている場合は、長尺のコンテナの天井に広い範囲に渡って動力なくして散水できる。
なお、散水ノズルは自動回転式のノズルではなく、固定式のノズルであってもよい。
【００１９】
本考案に係るコンテナ冷却用散水器において、ホースが水平梁材及び柱材に沿って配管され、しかも、柱材に沿って配管されるホースに、水の供給源用のホースに接続及び切り離し可能なカプラーが設けられている場合には、給水源用の長尺のホースに拘束されることなく、このコンテナ冷却用散水器を自由に移動できる。
【００２０】
そして、本考案に係るコンテナ冷却用散水器において、キャスターがブレーキ付きキャスターである場合には、コンテナ冷却用散水器の移動時にブレーキを解除し、作業時にブレーキを作動させることによって安全な作業ができる。
【図面の簡単な説明】
【００２１】
【図１】本考案の一実施の形態に係るコンテナ冷却用散水器の斜視図である。
【図２】（Ａ）は同コンテナ冷却用散水器の部分斜視図、（Ｂ）は更に錘の役目をする水タンクを設けた説明図である。
【図３】（Ａ）は同コンテナ冷却用散水器に使用する散水ノズルの説明図、（Ｂ）、（Ｃ）は同コンテナ冷却用散水器に使用する他の例に係る散水ノズルの説明図である。
【図４】（Ａ）、（Ｂ）はそれぞれ同コンテナ冷却用散水器の使用状態の説明図である。
【考案を実施するための形態】
【００２２】
続いて、添付した図面を参照しながら、本考案を具体化した実施の形態について説明する。
図１、図２（Ａ）に示すように、本考案の一実施の形態に係るコンテナ冷却用散水器１０は、底部に複数の（具体的には４つの）ブレーキ付きキャスター１１が設けられた台車１２と、台車１２の前後に立設された柱材１３、１４と、柱材１３、１４の上部に片持ち状態で取り付けられた水平梁材１５と、水平梁材１５の先部に水平補助材１６を介して下向きに設けられた散水ノズル１７、１８と、散水ノズル１７、１８に水を供給するホース１９、２０とを有している。以下、これらについて詳しく説明する。
【００２３】
台車１２は平面視して四角形となって、全体がパイプ又は形材（例えば、山形鋼、溝形鋼）からなって、平面視してコ字状の底枠部２２と底枠部２２の四隅にそれぞれ設けられたキャスター取付け板２３と、底枠部２２の周囲に設けられた平面視してコ字状のフェンス枠２４とを有している。このフェンス枠２４の一部にパイプからなる柱材１３、１４が対向して設けられている。
【００２４】
各キャスター取付け板２３の底部には、ブレーキ付きキャスター１１がそれぞれ設けられている。底枠部２２の寸法ａは、例えば、０．７５〜０．９ｍ、寸法ｂは０．９〜１．１ｍ、柱材１３、１４の高さｈは地上から４．５〜５ｍとなっている。また、フェンス枠２４の高さｃは例えば、１．２〜１．５ｍとなっている。
【００２５】
また、底板部２２の上にはウエイトとなる鉄板２５が設けられ、全体の重量が約８０ｋｇとなって、しかもその重心位置が鉄板２５の中心位置近傍にあり、コンテナ冷却用散水器１０が転倒しないようになっている。強風時などは、鉄板２５の上に砂袋等を置いて錘とすることによって、更に安定させることができる。また、図２（Ｂ）に示すように、鉄板２５（即ち、台車１２）の上に水タンク２５ａを設置すれば、錘を載せたり降ろしたりする代わりに、水タンク２５ａの上部にある水注入口２５ｂを介して水タンク２５ａにホースで水を入れたり、水タンク２５ａの下部にあるドレーンコック２５ｃから水を抜くことで、同じ機能を持たせることができる。なお、本考案は前記した寸法、重量に限定されるものではなく、事情に合わせて寸法変更、重量変更をすることもできる。
【００２６】
柱材１３、１４の頂部には、パイプからなる水平梁材１５が配置されている。この水平梁材１５の長さｄは例えば２．２〜２．８ｍ程度で、後端部が柱材１４の頂部に、後ろ側中間部が柱材１３の頂部に溶接固定されている。水平補助材１６の中間部に水平梁材１５の先端部が直交状態で溶接固定され、この水平補助材１６の両端部に取付け部材２７、２８（図３参照）を介して散水ノズル１７、１８が下向きに取り付けられている。
【００２７】
この散水ノズル１７、１８は、１又は複数のノズル（例えば、噴出口３１、３２）が回転中心に対して一定方向に湾曲して設けられ、ノズルから噴出する水の反動によって回転するタイプのもの、即ち、供給水圧による自動回転式のものであってもよい。また、園芸等で灌水用に用いられる自動回転式のスプリンクラーであってもよい。図３（Ａ）にその一例を示すが、ロータリジョイント３０の中心に対して半径方向に伸びる噴出口３１、３２が一定方向に曲がった又は湾曲して設けられ、上部の水入口３４から供給される水が噴出口３１、３２から噴出し、その反動によって自動回転するようになっている。３３は取付け具の一例を示し、この取付け具３３を介して散水ノズル１７、１８が取付け部材２７、２８に装着されている。
【００２８】
また、散水ノズル１７、１８の代わりに、図３（Ｂ）に示すように固定式の散水ノズル３５を用いることもできる。この散水ノズル３５は、環状管３６の下部に多数の小径の噴出孔（ノズル孔）３７が設けられ、中央の接続管３８にこの環状管３６の両端部が接続されている。従って、接続管３８から供給された水は多数の噴出孔３７から略均等に排出される。なお、この散水ノズル３５の代わりに、通常園芸で使用される散水具を１又は複数並べて配置することもできる。
【００２９】
散水ノズル１７、１８の先端が接続されているホース１９、２０は、水平補助材１６、水平梁材１５、柱材１３、１４に沿って配管され、接続具を介してカプラー３９（図１、図４参照）に接続されている。カプラー３９は雄雌対となって一つのカプラーを形成し、他方のカプラー３９は給水源（水の供給源）に接続されるホース４１の端部に接続されている。なお、ホース４１に接続されるカプラー３９にはバルブが設けられ、雄雌のカプラー３９を切り離すとホース４１からの水が停止する構造となっている。
【００３０】
このコンテナ冷却用散水器１０の使用方法について、図４（Ａ）、（Ｂ）を参照しながら説明する。例えば、コンテナ冷却用散水器１０が格納庫等に収納されている場合、底部にブレーキ付きキャスター１１が設けられているので容易に引き出して所定の位置に固定できる。所定の位置に配置したコンテナ冷却用散水器１０はブレーキ付きキャスター１１のブレーキを効かせてその場固定を行う。
あるいは、予め、コンテナ冷却用散水器１０を所定の位置に配置しておき、トラクター４３によってトレーラ（車両の一例）４４に搭載されたコンテナ４５をコンテナ冷却用散水器１０の散水ノズル１７、１８の直下に配置してもよい。
【００３１】
この場合、対となる散水ノズル１７、１８がコンテナ４５の幅方向中央で、かつ長さ方向中央位置（又は多少前側位置）にあるようにコンテナ冷却用散水器１０を配置する。トレーラ４４に搭載されたコンテナ４５の天井部（屋根）の高さは、約３．５〜４ｍであるので、散水ノズル１７、１８から約１ｍ程度の隙間を有し、更に、散水ノズル１７、１８は水平梁材１５によってコンテナ４５の片側からコンテナ４５の屋根の上に張り出しているので、散水ノズル１７、１８から散水された水道水はコンテナ４５の天井部分に降りかかる。
【００３２】
これによって、散水を行わない場合のコンテナ４５内の温度は、４０〜４５℃であったが、このコンテナ冷却用散水器１０を用いてコンテナ４５の天井部の冷却を行うと、３０〜３５℃となる。これによって、内部で作業を行う人が熱中症になるのを防止できる。なお、散水ノズル１７、１８から放水される水量は、給水源の蛇口によって調整される。
【００３３】
本考案は、前記実施の形態に限定されず、本考案の要旨を変更しない範囲での材料変更、構造変更、形態変更を行うことは可能である。例えば、この実施の形態においては、柱材は２本であったが、１本又は３本以上の柱材とすることも可能である。また、各柱材、水平梁材を伸縮できるようにすることも可能であり、これによって収納が容易となる。
【符号の説明】
【００３４】
１０：コンテナ冷却用散水器、１１：ブレーキ付きキャスター、１２：台車、１３、１４：柱材、１５：水平梁材、１６：水平補助材、１７、１８：散水ノズル、１９、２０：ホース、２２：底枠部、２３：キャスター取付け板、２４：フェンス枠、２５：鉄板、２５ａ：水タンク、２５ｂ：水注入口、２５ｃ：ドレーンコック、２７、２８：取付け部材、３０：ロータリジョント、３１、３２：噴出口、３３：取付け具、３４：水入口、３５：散水ノズル、３６：環状管、３７：噴出孔、３８：接続管、３９：カプラー、４１：ホース、４３：トラクター、４４：トレーラ、４５：コンテナ
【図１】
0003173310.tif 000003
【図２】
0003173310.tif 000004
【図３】
0003173310.tif 000005
【図４】
0003173310.tif 000006